(57)【要約】      （修正有）【課題】照明が遮られること無く、囲いの中の様子をうかがうことができて防犯上の問題点を改善し、街区の美観を保ち、施工性の向上による作業短縮化に優れ、材料の軽量化も伴っており、運搬や保管においてもスペースの有効活用可能な仮囲いを提供する。【解決手段】仮囲いは、所定高さ所定間隔で配された支柱部２と、支柱部間に着脱可能に組み付け支持された透光性を有する隔壁部３からなり、支柱部２は、第１の板状部２１と、第２の板状部２２と、板状部間に掛渡された接続部材２３と、第１の板状部と第２の板状部と接続部材とで形成され、隔壁部を支持する支持空間α，βを含み、隔壁部は、所定の幅寸法と、第１の板状部と前記第２の板状部の板面間より薄い厚み寸法とを有した壁状に形成され、隔壁部内部には、高さ方向に貫通し、かつ幅方向に分割された空間を含み、隔壁部の幅方向端部が支柱部の支持空間に差し込まれて所定区域の内外を仕切る壁面となる。【選択図】図４
0003143947.tif 000002
【実用新案登録請求の範囲】
【請求項１】
所定区域の内外を仕切る仮囲いであって、
仮囲いは、
所定高さに形成され、所定の間隔で配設された支柱部と、透光性を有する材質で所定高さに形成され、該支柱部間に着脱可能に組み付けられ支持された隔壁部とからなり、
支柱部は、
第１の板状部と、
前記第１の板状部の板面に対向し、所定の間隔を有して並行に配された第２の板状部と、
前記第１の板状部と第２の板状部との対向する板面間に垂直に掛け渡された接続部材と、
前記第１の板状部の板面と前記第２の板状部の板面と接続部材とで形成され、隔壁部を支持する支持空間とを含み、
隔壁部は、
所定の幅寸法に形成されるとともに、前記支柱部と同じ高さに形成された一面と、該一面と同形に形成された他面と、該一面と他面が、前記支柱部の第１の板状部と前記第２の板状部との対向する板面間の間隔よりも小さい寸法で対向してなる壁状に形成され、
該一面と他面の間の内部空間には、該空間を幅方向に等間隔に分割する複数の幅方向分割壁が配されるとともに、該幅方向分割壁によって、高さ方向に貫通し、かつ、幅方向に分割された空間を含み、
隔壁部の幅方向端部が、支柱部の支持空間に差し込まれて、所定区域の内外を仕切る壁面となることを特徴とする仮囲い。
【請求項２】
隔壁部の内部空間には、該空間を厚み方向に等間隔に分割する複数の厚み方向分割壁が配されるとともに、該厚み方向分割壁によって、高さ方向に貫通し、かつ、厚み方向に分割された空間を含むことを特徴とする請求項１に記載の仮囲い。
【請求項３】
隔壁部の内部空間には、高さ方向視Ｘ字状の傾斜壁を含むことを特徴とする請求項１又は請求項２に記載の仮囲い。
【請求項４】
隔壁部の内部は、厚み方向視Ｘ字状の傾斜壁を含むことを特徴とする請求項１又は請求項２に記載の仮囲い。
【請求項５】
隔壁部の内部は、幅方向視Ｘ字状の傾斜壁を含むことを特徴とする請求項１又は請求項２に記載の仮囲い。
【請求項６】
該傾斜壁は、幅方向分割壁から離間して配されていることを特徴とする請求項３乃至請求項５のいずれかに記載の仮囲い。
【請求項７】
傾斜壁は、断面視直線形状の板状に形成されていることを特徴とする請求項３乃至請求項６のいずれかに記載の仮囲い。
【請求項８】
傾斜壁は、断面視円弧形状の板状に形成されていることを特徴とする請求項３乃至請求項６のいずれかに記載の仮囲い。
【請求項９】
支柱部の第１の板状部と第２の板状部は、幅方向の中心を合わせて配され、支持空間は、接続部材の幅方向の両側に形成されていることを特徴とする請求項１乃至請求項８のいずれかに記載の仮囲い。
【請求項１０】
支柱部の第１の板状部と第２の板状部は、同幅に形成されていることを特徴とする請求項１乃至請求項９のいずれかに記載の仮囲い。
【請求項１１】
支柱部の第１の板状部と第２の板状部とのいずれか一方は、他方よりも幅広に形成されていることを特徴とする請求項１乃至請求項９のいずれかに記載の仮囲い。
【請求項１２】
接続部材は、支柱部の幅方向に離間した一対の連結板からなることを特徴とする請求項１乃至請求項１１のいずれかに記載の仮囲い。
【請求項１３】
少なくとも仮囲い取り付け用の横桟を備えた支持構造物に、連続的に配設された支柱部が取り付けられることを特徴とする請求項１乃至請求項１２のいずれかに記載の仮囲い。
【請求項１４】
支柱部は、第１の板状部から接続部材の一対の連結板間を通って第２の板状部を貫通した、該楕円形状の貫通穴および円形状の貫通穴を少なくとも１つ以上有し、
該楕円形状の貫通穴および円形状の貫通穴は、前記支持構造物の横桟と連結されて、支柱部と支持構造物とが固定されることを特徴とする請求項１３に記載の仮囲い。
【請求項１５】
支柱部は、第１の板状部から接続部材の一対の連結板間へと貫通した、該楕円形状の貫通穴および円形状の貫通穴を少なくとも１つ以上有し、
該楕円形状の貫通穴および円形状の貫通穴は、前記支持構造物の横桟と連結されて、支柱部と支持構造物とが固定されることを特徴とする請求項１３に記載の仮囲い。
【請求項１６】
楕円形状の貫通穴には、継手が取り付けられ、円形状の貫通穴には、フックボルトが取り付けられていることを特徴とする請求項１４に記載の仮囲い。
【請求項１７】
支柱部の上端部と下端部のいずれか一方若しくは双方を覆う受け具が備えられ、該受け具は、支柱部に固定されていることを特徴とする請求項１乃至請求項１６のいずれかに記載の仮囲い。
【請求項１８】
支柱部の受け具は、支柱部と隔壁部の双方に固定されていることを特徴とする請求項１７に記載の仮囲い。
【請求項１９】
隔壁部の上端部と下端部のいずれか一方若しくは双方を覆う受け具が備えられていることを特徴とする請求項１乃至請求項１８のいずれかに記載の仮囲い。
【請求項２０】
受け具は、透光性を有する材質によって成形されていることを特徴とする請求項１５乃至請求項１９のいずれかに記載の仮囲い。
【請求項２１】
支柱部は、透光性を有する材質によって成形されていることを特徴とする請求項１乃至請求項２０のいずれかに記載の仮囲い。
【請求項２２】
透光性を有する材質は、透光性を有するポリカーボネートであることを特徴とする請求項１乃至請求項２１のいずれかに記載の仮囲い。
【請求項２３】
隔壁部は、支柱部の支持空間に複数配されていることを特徴とする請求項１乃至請求項２２のいずれかに記載の仮囲い。
【考案の詳細な説明】
【技術分野】
【０００１】
本考案は、例えば、用地や敷地の内外を任意の区域で一時的に仕切るための仮囲いに関する。
【背景技術】
【０００２】
従来から、建築物や建造物用の用地の保全や、建築工期中の敷地の安全確保のため、任意の区域の周囲に板材を建て付け、用地や敷地の内外を仕切ることによって、部外者の侵入や建設部材の飛散を防止し、敷地隣接地の安全を確保するために、仮囲いを一時的に設置している。
そのような仮囲いには、一般的には、所定高さの薄板の幅方向両端部を厚み方向に屈曲させるとともに、その両端部には高さ方向に所定の間隔で貫通穴を有した隔壁が使用されている。隔壁を仮囲いとして設置する場合には、前記貫通穴にフックボルト等の金具類を通して、単管を組み建てた支持構造物の仮囲い取り付け用の横桟に共締め固定する。これにより、基礎に隔壁が固定され、整列した隔壁によって仮囲いが設置される（特許文献１参照）。
【０００３】
しかし、上記従来の仮囲いは、不透光な板材で形成されるとともに、部外者の侵入防止や建設部材の飛散防止に対処し得る高さを有している。このため、街路照明が遮られて暗がりが生じたり、設置された仮囲いによって袋小路が生じたりする問題があり、さらに、外部からは囲いの中を見通すことができず、犯罪者に囲いの中に連れ込まれれば、外部の助けを求めることができず、防犯上の問題がある。
また、視界が遮られることは、街区の美観の点においても、無機質な印象が強くなり問題となっている。
さらに、隔壁の板材の両端部は曲折されているので、その曲折部位の分だけ厚みができてしまい嵩張るので、隔壁を積み重ねて運搬したり保管したりする場合のスペースの有効活用の面においても改善が求められていた。
【０００４】
【特許文献１】特開平１１−１３１８１９号公報
【考案の開示】
【考案が解決しようとする課題】
【０００５】
本考案は、上記問題点を解決するためになされており、その目的は、照明や視界が遮られること無く、囲いの中を見渡せて防犯上の問題点を改善し、街区の美観を保ち、施工性の向上による作業短縮化に優れ、材料の軽量化も伴っており、また、運搬や保管においてもスペースの有効活用可能な仮囲いを提供することである。
【課題を解決するための手段】
【０００６】
上記課題を達成するために、本考案が成した技術的手段は、所定区域の内外を仕切る仮囲いであって、仮囲いは、所定高さに形成され、所定の間隔で配設された支柱部と、透光性を有する材質で所定高さに形成され、該支柱部間に着脱可能に組み付けられ支持された隔壁部とからなり、支柱部は、第１の板状部と、前記第１の板状部の板面に対向し、所定の間隔を有して並行に配された第２の板状部と、前記第１の板状部と第２の板状部の対向する板面間に垂直に掛け渡された接続部材と、前記第１の板状部の板面と前記第２の板状部の板面と接続部材とで形成され、隔壁部を支持する支持空間とを含み、隔壁部は、所定の幅寸法に形成されるとともに、前記支柱部と同じ高さに形成された一面と、該一面と同形に形成された他面と、該一面と他面が、前記支柱部の第１の板状部と前記第２の板状部との対向する板面間の間隔よりも小さい寸法で対向してなる壁状に形成され、該一面と他面の間の内部空間には、該空間を幅方向に等間隔に分割する複数の幅方向分割壁が配されるとともに、該幅方向分割壁によって、高さ方向に貫通し、かつ、幅方向に分割された空間を含み、隔壁部の幅方向端部が、支柱部の支持空間に差し込まれて、所定区域の内外を仕切る壁面となることを特徴とする仮囲いとしたことである。
【０００７】
なお、隔壁部の内部空間には、該空間を厚み方向に等間隔に分割する複数の厚み方向分割壁が配されるとともに、該厚み方向分割壁によって、高さ方向に貫通し、かつ、厚み方向に分割された空間を含む場合もあり、また、隔壁部の内部空間には、高さ方向視Ｘ字状の傾斜壁を含む場合や、厚み方向視Ｘ字状の傾斜壁を含む場合や、幅方向視Ｘ字状の傾斜壁を含む場合もある。また、該傾斜壁は、幅方向分割壁から離間して配されていても良い。それら傾斜壁は、断面視直線形状の板状に形成されている場合もあり、または、断面視円弧形状の板状に形成されている場合もある。また、支柱部の第１の板状部と第２の板状部は、幅方向の中心を合わせて配され、支持空間は、接続部材の幅方向の両側に形成されていても良い。さらに、支柱部の第１の板状部と第２の板状部は、同幅に形成されている場合もあり、または、第１の板状部と第２の板状部とのいずれか一方は、他方よりも幅広に形成されている場合もある。また、接続部材は、支柱部の幅方向に離間した一対の連結板からなることある。
【０００８】
また、少なくとも仮囲い取り付け用の横桟を備えた支持構造物に、連続的に配設された支柱部が取り付けられても良く、その場合には、支柱部は、第１の板状部から接続部材の一対の連結板間を通って第２の板状部を貫通した、該楕円形状の貫通穴および円形状の貫通穴を少なくとも１つ以上有し、該楕円形状の貫通穴および円形状の貫通穴は、前記支持構造物の横桟と連結されて、支柱部と支持構造物とが固定されても良く、支柱部は、第１の板状部から接続部材の一対の連結板間へと貫通した、該楕円形状の貫通穴および円形状の貫通穴を少なくとも１つ以上有し、該楕円形状の貫通穴および円形状の貫通穴は、前記支持構造物の横桟と連結されて、支柱部と支持構造物とが固定されても良い。
その楕円形状の貫通穴には、継手が取り付けられ、円形状の貫通穴には、フックボルトが取り付けられている場合もある。
【０００９】
支柱部の上端部と下端部のいずれか一方若しくは双方には、該端部を覆う受け具を備えていても良く、隔壁部の上端部と下端部のいずれか一方若しくは双方を覆う受け具を備えられていても良い。その場合には、支柱部の受け具と隔壁部の受け具は一体に備えられていても良い。また、支柱部の受け具は、支柱部に固定されている場合もあり、支柱部と隔壁部の双方に固定されている場合もある。
また、受け具及び支柱部は、透光性を有する材質によって成形されている場合もあり、透光性を有する材質は、上述した透光性を有するポリカーボネートであっても良い。
また、隔壁部は、支柱部の支持空間に複数配されている場合もある。
【考案の効果】
【００１０】
本考案によれば、照明や視界が遮られること無く、囲いの中を見渡せて防犯上の問題点を改善し、街区の美観を保ち、施工性の向上による作業短縮化に優れ、材料の軽量化も伴っており、また、運搬や保管においてもスペースの有効活用可能な仮囲いを提供することができる。
【考案を実施するための最良の形態】
【００１１】
以下、本考案に係る仮囲いの一実施の形態について、添付図面に基づいて説明する。なお、本実施形態は本考案の一実施形態にすぎず、何等これらに限定して解釈されるものではなく、本考案の範囲内で設計変更可能である。
【実施例１】
【００１２】
本実施例による仮囲い１は、所定の間隔で配設された支柱部２間に隔壁部３が組み付けられて連続的な壁面を構成するとともに、例えば、単管を組み立てて形成した支持構造物４に備えた仮囲い取り付け用の横桟４１に取り付けられることにより、所定区域の内外を仕切って（図１参照）、所定区域内への部外者の侵入や所定区域外への建設部材の飛散を防止し、敷地隣接地の安全を確保するために一時的に設置されるものである。
なお、支柱部２及び隔壁部３の高さ寸法や幅寸法は、仮囲いとして設置した場合に、部外者の侵入や建設部材の飛散を防止し得る程度の所定の高さや幅の壁面を構成するように設定されていれば良く、使用環境や需要に応じて変更可能であるので、本実施例では特に限定しない。
【００１３】
支柱部２を図２（ａ），（ｂ），（ｃ），（ｄ），（ｅ）に示す。
支柱部２は、第１の板状部２１と、前記第１の板状部２１の板面２１ａに対向して並行に配される第２の板状部２２と、前記第１の板状部２１と第２の板状部２２の対向する板面間に垂直に掛け渡される接続部材２３とで構成されている。なお、前記第１の板状部２１と第２の板状部２２および接続部材２３は、いずれも、アルミニウムの材質により形成されている。
【００１４】
第１の板状部２１は、板状の部材が前記所定の高さで形成されている。
第２の板状部２２は、板状の部材が前記第１の板状部２１と同じ高さに形成されるとともに、幅寸法が第１の板状部２１よりも幅広に形成されている。また、第２の板状部２２と第１の板状部２１は、幅方向の中心を合わせて配されている。すなわち、第２の板状部２２は、正面視において、第１の板状部２１の両側部にはみ出して配される。
【００１５】
接続部材２３は、一対の連結板２３ａ及び２３ｂからなり、該連結板２３ａ，２３ｂは、前記第１の板状部２１の板面２１ａと、該板面２１ａと対向する第２の板状部２２の板面２２ａとの間に、支柱部２の幅方向に所定間隔離間して、該板面２１ａおよび板面２２ａに対して垂直に掛け渡されている。
また、連結板２３ａと連結板２３ｂは、第１の板状部２１及び第２の板状部２２の幅方向両端から等しい距離となるように配されている。すなわち、連結板２３ａと連結板２３ｂ間の空間の高さ方向中心線は、第１の板状部２１及び第２の板状部２２の高さ方向中心線と重なるように配されている。
【００１６】
上記各部材が配される事により、支柱部２は、第１の板状部２１の板面２１ａと第２の板状部２２の板面２２ａと接続部材２３の連結板２３ａとで支持空間αを形成するとともに、第１の板状部２１の板面２１ａと第２の板状部２２の板面２２ａと接続部材２３の連結板２３ｂとで支持空間βを形成する。すなわち、支持空間α及び支持空間βは、接続部材２３の幅方向両側に、同じサイズの空間として形成されている。
【００１７】
さらに、支柱部２は、第１の板状部２１から接続部材２３の一対の連結板２３ａ，２３ｂ間を通って第２の板状部２２を貫通する貫通穴２５及び貫通穴２６及び貫通穴２７を有している（図２（ｂ）参照）。本実施例では、該貫通穴２５と貫通穴２７は正面視円形状に形成され、貫通穴２６は正面視で高さ方向に長い楕円形状に形成されている。また、貫通穴２６は、高さ方向の中央部に１つ形成され、貫通穴２５は、該貫通穴２６を中心にして、且つ該貫通穴２６から等間隔に上と下の２つが形成されている。また、貫通穴２７は、前記貫通穴２５よりも上下端側に、上と下の２つが形成されている。
貫通穴２６が楕円形に形成されることにより、支柱部２を設置する際に、締付金具の位置を高さ方向に微調整することができる。これにより、支柱部２の設置が容易となる。
【００１８】
また、支柱部２は、上側端部付近と下側端部付近であって、前記貫通穴２５よりも端部側に、それぞれ貫通穴２７を有している。なお、本実施例では、貫通穴２７は正面視円形状であって、前記貫通穴２７よりも小径に形成されている。
なお、本実施例では、円形状の貫通穴２５，２７を２つずつと、楕円形状の貫通穴２６を１つ形成したが、これに限定されず、貫通穴の数や形状は、仮囲いが設置される現場の需要に応じて自由に設定されれば良い。
なお、本実施例では、第２の板状部２２の幅寸法を第１の板状部２１よりも幅広に形成したが、これに限定されず、第２の板状部２２の幅寸法と第１の板状部２１の幅寸法は同幅に形成されていても良い。
【００１９】
隔壁部３を図３に示す。なお、図３（ｂ）は、図３（ａ）の図中手前側の端部を一部省略して示す拡大斜視図である。
隔壁部３は、透光性を有した壁状の部材であり、前記支柱部２の高さ寸法と略同一の高さ寸法に設定されるとともに、所定の幅寸法で形成されている。
また、隔壁部３は、本実施例では、所定の幅寸法に形成されるとともに、前記支柱部２と同じ高さに形成された一面３１ｃと、該一面３１ｃと同形に形成された他面３１ｄとにより、幅Ｗ方向に直線的な平坦な壁体（板状体）として形成されている。なお、隔壁部３の幅寸法は、隔壁を積み重ねて運搬したり保管したり、前記支柱部２に組み付ける作業がしやすい程度に設定されれば良い。
【００２０】
隔壁部３の厚み寸法（該一面３１ｃから他面３１ｄまでの寸法）は、前記支柱部２の第１の板状部２１と前記第２の板状部２２との間隔（支持空間α，βの厚み方向の間隔）Ｄ１よりも小さい（薄い）寸法Ｄ２に形成されている。これにより、隔壁部３の幅方向端部を前記支柱部２の支持空間α、βにそれぞれ差し込むことができる。なお、本実施例では、寸法Ｄ２は１２ｍｍに設定されている。
該隔壁部３の内部には、高さＨ方向に貫通し、かつ、幅Ｗ方向に分割されるとともに、厚みＤ方向にも分割された空間を有する。本実施例では、隔壁部３の内部の空間は、図３（ｂ）に示すように、幅Ｗ方向に等間隔に配された複数の幅方向分割壁３２によって、幅方向に仕切られて、幅方向に分割されるとともに、厚み方向に分割する厚み方向分割壁３３によって、厚み方向に仕切られて、厚みＤ方向にも分割された空間が形成されている。これにより、高さＨ方向の端面視で、空間Ａ１，Ａ２，Ａ３、Ａ４・・・が幅方向に配列されるとともに、空間Ｂ１，Ｂ２，Ｂ３，Ｂ４・・・が幅方向に配列され、空間Ａ１と空間Ｂ１，空間Ａ２と空間Ｂ２，空間Ａ３と空間Ｂ３，空間Ａ４と空間Ｂ４・・・がそれぞれ厚みＤ方向に並列に配設されている。
本実施例では、幅方向分割壁３２は、隔壁部３の一面３１ｃ及び他面３１ｄに対して直交して配され、厚み方向分割壁３３は、隔壁部３の一面３１ｃ及び他面３１ｄに対して平行に配されている。
【００２１】
さらに、隔壁部３の内部の空間には、隔壁部３の一面３１ｃから他面３１ｄに掛け渡されたＸ字状の傾斜壁３４が配されている。
具体的には、幅方向分割壁３２間において、一面３１ｃから厚み方向分割壁３３にかけて、隔壁部３の幅方向に傾斜して掛け渡された第１の傾斜壁３４ａと、他面３１ｄから厚み方向分割壁３３にかけて、前記第１の傾斜壁３４ａの傾斜方向と逆向きに傾斜して掛け渡された第２の傾斜壁３４ｂとが、厚み方向分割壁３３上で連結（連結点３４ｅ）し、さらに、一面３１ｃから厚み方向分割壁３３に、前記第１の傾斜壁３４ａの傾斜方向と逆向きに傾斜して掛け渡された第３の傾斜壁３４ｃと、他面３１ｄから厚み方向分割壁３３に、前記第１の傾斜壁３４ａの傾斜方向と同じ向きに傾斜して掛け渡された第４の傾斜壁３４ｄとが、厚み方向分割壁３３上で連結（連結点３４ｆ）している。また、連結点３４ｅと連結点３４ｆ同士も連結されている。このように形成されることにより、傾斜壁３４は、断面視Ｘ字状を呈する。
【００２２】
第１の傾斜壁３４ａ及び第２の傾斜壁３４ｂ及び第３の傾斜壁３４ｃ及び第４の傾斜壁３４ｄは、それぞれ、幅方向分割壁３２から離間して配されるとともに、それぞれ、直線状の板状に形成されている。また、一面３１ｃ及び他面３１ｄ及び幅方向分割壁３２及び厚み方向分割壁３３が同じ厚さに形成され、傾斜壁３４は、それよりも薄く形成されている。
隔壁部３を形成する材質としては、透光性を有するポリカーボネートが採用され、一体に成形されている。また、透光性の程度については、本実施例では、透光性を有する乳白色に設定されている。これにより、隔壁部３の強度を保ったまま軽量化を図ることができ、運搬作業や設置作業が容易になる。また、隔壁部３の内部に空間を形成することにより、光線が通過する厚みを薄くすることができるので、反光源側（従来、街路照明が遮られていた側）を明るく保つことができる。
【００２３】
本実施例では、隔壁部３の内部を幅方向Ｗと厚みＤ方向の両方向に分割したが、分割の方法はこれに限定されず、幅Ｗ方向のみ分割され、厚みＤ方向には分割されていなくても良い。
また、幅方向分割壁３２とＸ字状の傾斜壁３４のみが配され、厚み方向分割壁３３が配されていなくても良く、または、幅方向分割壁３２と厚み方向分割壁３３のみが配され、Ｘ字状の傾斜壁３４が配されていなくても良い。また、Ｘ字状の傾斜壁３４の連結点３４ｅと連結点３４ｆ同士は離間していても良い。
また、第１の傾斜壁３４ａ及び第２の傾斜壁３４ｂ及び第３の傾斜壁３４ｃ及び第４の傾斜壁３４ｄは、直線状の板状に形成されておらず、曲線状であっても良い。
例えば、第１の傾斜壁３４ａ及び第２の傾斜壁３４ｂ及び第３の傾斜壁３４ｃ及び第４の傾斜壁３４ｄが、それぞれＳ字状に湾曲した板状に形成されていても良いし、あるいは、断面視円弧状の板状に形成されていても良い。断面視円弧状の板状に形成された場合には、第１の傾斜壁３４ａと第２の傾斜壁３４ｂ、第３の傾斜壁３４ｃと第４の傾斜壁３４ｄが、それぞれ、断面視なだらかに連続した円弧形状を呈するように連結されていても良い。
このような場合であっても、連結点３４ｅと連結点３４ｆ同士は連結していても離間していても良い。
また、本実施例では、一面３１ｃ及び他面３１ｄ及び幅方向分割壁３２及び厚み方向分割壁３３を同じ厚さに形成し、傾斜壁３４は、それよりも薄く形成したが、これに限定されず、一面３１ｃ及び他面３１ｄ及び幅方向分割壁３２及び厚み方向分割壁３３及び傾斜壁３４が、全て同じ厚さに形成されていても良い。
また、本実施例では、Ｘ字状の傾斜壁３４が、隔壁部３の幅方向に傾斜して掛け渡された場合を説明したが、これに限定されず、Ｘ字状の傾斜壁３４は、隔壁部３の高さ方向や厚み方向に傾斜して掛け渡されていても良い。その場合であっても、上述したＸ字状の傾斜壁３４の構成例と同様に、Ｘ字状の傾斜壁３４は、直線状に形成されていても曲線状に形成されていても良い。
【００２４】
上述のように形成した支柱部２と隔壁部３を仮囲い１として設置する場合の一例を以下に説明する。
まず、用地や敷地において、一時的に内外を仕切る必要のある、任意の区域の境界に、図１に示すような単管を組み立てて形成した支持構造物を配置する。このとき、支持構造物４は、前記境界の外側に垂直な部分が配設され、該垂直な部分には、仮囲い取り付け用の横桟４１，４１，４１・・・が備えられている。
次に、図４（ａ）に示すように、前記横桟４１，４１，４１・・・に、支柱部２，２，２・・・を仮固定する。
具体的には、予め、支柱部２の円形状の貫通穴２５には、それぞれ、フックボルト（一端側に固定ボルト４１ｂが形成されるとともに、他端側は、単管に引っ掛けることが可能なフック状に形成されたボルト）４１ａを取り付けておくとともに、楕円形状の貫通穴２６には、継手（一端側に固定ボルト４１ｂが形成されるとともに、他端側は、単管を咥えこんで係止することが可能に形成されたボルト）４１ｃを取り付けておく。この場合、フックボルト４１ａ及び継手４１ｃの支柱部２への固定は、各ボルトの固定ボルト４１ｂをそれぞれ貫通穴２５及び貫通穴２６に通した上で、第１の板状部２１側に突出した固定ボルト４１ｂの先端にナットＮを螺合させ、該ナットＮを締めこんで固定する（図４（ｃ）参照）。
そして、横桟４１，４１，４１・・・にフックボルト４１ａをそれぞれ引っ掛けて支柱部２を仮取り付けする。なお、この段階では、継手４１ｃは、横桟４１，４１，４１・・・に固定しない。従って、支柱部２は、横桟４１上を横桟４１の長さ方向に横移動可能な状態になっている。
【００２５】
次に、隔壁部３を用意し、その幅方向の一方（本実施例では図中左側）の端部３１ａを該一方側に配された支柱部２の支持空間αに差込む（図４（ｂ）及び図４（ｃ）参照。なお、図４（ｂ）では、説明を判り易くするため、支持構造物４を除外している）。
さらに、隔壁部３の幅方向の他方（本実施例では図中右側）の端部３１ｂが、該他方側に配された支柱部２の支持空間βに差込まれるようにして、該他方側に配された支柱部２を隔壁部３方向に移動させる（図４（ｂ）及び図４（ｄ）参照）。また、隔壁部３とその両側方の支柱部２，２の支持空間α，βに差し込まれたことを確認して、継手４１ａを横桟４１に固定することにより、隔壁部３と支柱部２がしっかりと組み付けられて離散しなくなる。
以降、上記と同様にして、支柱部２と隔壁部３を任意の区域の境界の長さになるまで組み付けることによって、任意の区域の内外を仕切る壁面となり、図１に示すような仮囲いが設置される。
このとき、第１の板状部２１よりも幅広に形成された第２の板状部２２が、支持構造物４側に配されるので、横桟４１への取り付けの安定性が図れ、仮囲い１に風を受けた際にも安定性を確保することができる。
【００２６】
支柱部２の上下の端部には、該端部を覆う受け具５０が備えられている。
受け具５０は、支柱部２の第２の板状部２２の幅方向の寸法と略同一の幅を有するとともに、横方向の断面がコの字状に形成されている。また、該コの字状の連結部（反開口部分）は、支柱部２の厚み寸法（第１の板状部２１の外面から第２の板状部２２の外面までの寸法）よりも僅かに大きな寸法に形成されている。また、該コの字状の両壁部には、貫通穴５１が形成されている（図４（ｅ）参照）。
このように形成された受け具５０は、コの字状の凹部を支柱部２の上下の端部に嵌め込むように被せることが可能であり、支柱部２に隔壁部３を組み付けた後に、支柱部２の上下の端部に、該端部を覆うように被せることによって、支柱部２の支持空間α，βの上下端部を塞いで、隔壁部３が上方に飛び出したり、下方に抜け落ちたりすることを防止しする。
また、受け具５０の貫通穴５１と支柱部２の貫通穴２７を位置合わせして、タッピングネジ（図示せず）によって締め付け固定することによって、受け具５０が支柱部２にしっかりと共締めされて固定される。これにより、隔壁部３が支柱部２に強固に固定される。また、支柱部２の端部が覆われることによって、支柱部２の支持空間α，βの隔壁部３に、雨やゴミが侵入することを防止する。
本実施例では、受け具５０を支柱部２の上下の端部に備えた場合を説明したが、これに限定されず、受け具５０は、支柱部２の上端部と下端部のいずれか一方のみに備えられていても良い。
【００２７】
また、本実施例では、受け具５０が支柱部２のみに固定される場合を説明したが、これに限定されず、受け具５０は、支柱部２と隔壁部３の双方に固定されていても良い。例えば、図５（ａ）に示すように、受け具５０の幅が隔壁部３の端部に大きく被さるように延設されており、該延設部分に隔壁部３に固定するための貫通穴５２が形成されていても良い。この場合には、該貫通穴５２にタッピングネジ（図示せず）が挿し込まれて、受け具５０が隔壁部３に共締めされることにより固定される。なお、隔壁部３は内部に空間を有して形成されているので、隔壁部３の該タッピングネジがねじ込まれる部分には、樹脂パイプを備えて、該樹脂パイプにタッピングされるようにしても良い。このようにすれば、内部に空間を有して形成された隔壁部３であっても、受け具５０をしっかりと固定することができる。
【００２８】
隔壁部３の上下の端部には、該端部を覆う受け具６０が備えられている。
受け具６０は、図５（ｂ）に示すように、仮囲い１を設置したときに、隣り合う支柱部２の受け具５０間に嵌め込まれる幅寸法を有するとともに、横方向の断面がコの字状に形成されている。該コの字状の連結部（反開口部分）６３の寸法は、隔壁部３の厚み寸法よりも僅かに大きく形成されるとともに、該コの字状の開口部６４の寸法は、前記連結部６３の寸法よりも小さく（隔壁部３の厚み寸法よりも小さく）形成されている。具体的には、受け具６０のコの字状の一方の壁部６２が、他方の壁部６５に向けて傾斜して形成されている。なお、本実施例では、他方の壁部６５は、一方の壁部６２よりも長く形成されている。
このように形成された受け具６０は、コの字状の凹部を隔壁部３の上下の端部に嵌め込むように被せることが可能であり、支柱部２に隔壁部３を組み付け、支柱部２に受け具５０を取り付けた後に、隔壁部３の上下の端部に、該端部を覆うように被せることによって、隔壁部３の上下の端部を塞いで、隔壁部３の内部に雨やゴミが侵入することを防止する（図５（ｃ）参照）。なお、受け具６０は、該コの字状の開口部６４の寸法が、隔壁部３の厚み寸法よりも小さく形成されているので、該開口部６４が、隔壁部３にしっかりと喰いついて固定される。
本実施例では、受け具６０を隔壁部３の上下の端部に備えた場合を説明したが、これに限定されず、受け具６０は、隔壁部３の上端部と下端部のいずれか一方のみに備えられていても良い。
【００２９】
なお、上述した受け具５０及び受け具６０の材質については、対候性を有して、仮囲い１が設置されている期間中、支柱部２及び隔壁部３の端部を覆うことができれば、どのような材質が採用されても良い。例えば、鉄やアルミニウム等の金属や、ＡＢＳ（acrylonitrile butadiene styrene）やポリカーボネート等の樹脂によって形成されていても良い。また、受け具５０及び受け具６０は、透光性を有する材質で形成されていても良い。その場合には、透光性を有するポリカーボネートで形成されていても良い。
【００３０】
このように本考案による仮囲い１が設置されることにより、透光性を有して形成された隔壁部３は、街路照明を遮ぎることなく透過するので、仮囲い１による暗がりが生じることがない。
また、透光性によって、街路側（外部側）から仮囲い１で仕切られた区域の様子を伺うことができる。例えば、犯罪者が囲いの中に被害者を連れ込むような犯罪が発生しても、作業が終了した現場（仕切られた区域）で不自然な人影が動いている様子が、隔壁部３を通して街路側（外部側）から見えることにより、通行人等がその状態に気づき易く、被害者が救助され易い。また、透光性を有していることがわかりやすいので、犯罪者の心理に対して、犯罪行為に及ぶことを憚るように働きかけることができる。
【００３１】
また、隔壁部３の透光性の程度は、より光を通すように透明に近づけて設定することもできる。このように設定すれば、透光性を有する仮囲い１を通して、仕切られた区域内を見渡すことができるので、設置された仮囲い１によって袋小路が生じた場合であっても、透光性を有する隔壁部３を通して袋小路の奥まで外部から見えるので安全が確保され防犯上の効果が高い。さらに、その場合には、視界が遮られないので、街区の美観を損ねることが無く、遠方の視界が仮囲い１に入り込んでくるので、無機質な印象が強くなることもない。
【００３２】
仮囲い１には、透光性を有さない隔壁部や、部分的に透光性を有さない隔壁部を用意して、透光性を有する隔壁部３と組み合わせて設置しても良い。この場合には、例えば、仮囲いを設置する際に、透光性を有さない隔壁部を仮設トイレ等外部から見られたくない設備の周りに配せば、プライバシーを保護することもできるし、或いは、仮囲いの装飾的な効果を付加させるために、部分的に透光性を有さない隔壁部３を配しても良い。なお、透光性を有さない隔壁部とするためには、隔壁部を形成する材質に透光性を有さない材質を選択しても良いし、または、透光性を有する隔壁部３の全部または一部を着色しても良い。
【００３３】
なお、本実施例では、支柱部２をアルミニウムの材質により形成したが、これに限定されず、支柱部２を他の材質により形成しても良い。例えば、鉄やステンレス等によって形成しても良い。
また、支柱部２は、隔壁部３と同様に、透光性を有する材質によって形成されていても良い。例えば、支柱部２を透光性を有するポリカーボネートによって形成することにより、透光性を有する隔壁部３と組み合わせて仮囲い１を設置すれば、支柱部２と隔壁部３が同じ材質で一体となり、美しい外観を呈するようになる。また、上述した透光性による効果が、透光性を有する支柱部２にまで及ぶこととなる。
この場合であっても、上述した部分的に透光性を有さない隔壁部３と同様に、部分的に透光性を有さない支柱部２を配しても良い。このようにすれば、隔壁部３と支柱部２が一体となった、プライバシーを保護や、仮囲いの装飾的な効果を得ることができる。
【００３４】
また、支柱部２及び隔壁部３は、厚み方向の突出部がないので、効率よく積み重ねることが可能であり、運搬や保管において、収容場所のスペースを有効に活用することができる。
本実施例では、第２の板状部２２の幅寸法を第１の板状部２１よりも幅広にしたが、これに限定されず、第２の板状部２２の幅寸法と第１の板状部２１を等幅に形成しても良い。また、接続部材２３を連結板２３ａ，２３ｂで形成したが、これに限定されず、連結板２３ａ，２３ｂ間を中実にした、棒状の部材で形成されていても良い。この場合には、支柱部２を支持構造物４に取り付けるため、棒状に形成された接続部材２３にも貫通穴２５，２６及び貫通穴２７を設ければ良い。
【００３５】
また、本実施例では、隔壁部３の厚み寸法Ｄ２を１２ｍｍとしたが、厚み寸法Ｄ２はこれに限定されず、仮囲い１が設置される環境や需要に応じて自由に設定されればよい。その場合には、隔壁部の厚み寸法Ｄ２の変更に合わせて、前記支柱部２の第１の板状部２１と前記第２の板状部２２との間隔（支持空間α，βの厚み方向の間隔）Ｄ１も変更されることは言うまでもない。
また、本実施例では、隔壁部３が、支柱部２の支持空間α（β）に１枚ずつ配された構成を説明したが、これに限定されず、支柱部２の支持空間α（β）に、複数の隔壁部３が配されていても良い。
例えば、隔壁部３は、その厚み寸法Ｄ２を２分割して、同じ構成を持った２枚の隔壁部３で構成されていても良い。また、その場合には、分割された厚み寸法は均等でなくてもよい。例えば、８ｍｍ厚と４ｍｍ厚の隔壁部３を作成し、これを重ね合わせることによって厚み寸法Ｄ（１２ｍｍ）としてもよい。
このように、厚み寸法Ｄ２に隔壁部３を複数配することによって、仮囲い１を設置した場合に、仮囲い１の外部側または内部側の片側の隔壁部３が破損しても、もう片側の隔壁部３が残るので、仮囲い１の機能が損なわれることがない。また、破損した隔壁部１枚を交換すれば、仮囲い１を完全な構成に復旧させることができる。
また、厚み寸法Ｄ２に隔壁部３を複数配することによって、仮囲い１の外部側またと内部側の色を変えることが容易となる。すなわち、色違いの隔壁部３を厚み寸法Ｄ方向に組み合わせて仮囲い１を設置しても良い。
【００３６】
さらに、支持空間α及び支持空間βを、接続部材２３の幅方向両側に、同じサイズの空間として形成したが、これに限定されず、支持空間α，βは片方だけ形成しても良い。このように形成すれば、仮囲いの端部などで、支柱部２の片側のみに隔壁部３が差し込まれる場合等であっても、支柱部２の隔壁部３が差し込まれない側に支持空間がないので、すっきりとした形状になる。
【００３７】
また、本実施例では、隔壁部３は幅方向に直線状に形成されているが、隔壁部３の幅方向の形状はこれに限定されず、Ｌ字状やＳ字状に形成されていても良い。隔壁部３をＬ字状やＳ字状に形成する場合には、予め、Ｌ字状やＳ字状に作成された隔壁部３を用意しても良いが、仮囲い１を設置する現場で、要望に合わせて、直線状の隔壁部３をＬ字状やＳ字状に変形させても良い。
すなわち、本実施例による隔壁部３は、内部に空間を有して形成されているので、一面３１ｃと他面３１ｄ（図３（ｂ）参照）のいずれか一方に切込み（図５（ｄ）の符号７０参照）を入れ、該切込みを入れた側を谷折りとなるように、隔壁部３を曲げることにより、Ｌ字状の隔壁部３に変形させることができる。また、前記切込みを一面３１ｃと他面３１ｄに互い違いに入れれば、Ｓ字状の隔壁部３に変形させることができる（図５（ｄ）参照）。このような形状の隔壁部３を組み合わせれば、区域の境界の形状に沿って仮囲いを設置し易くなる。
なお、このようにＬ字状やＳ字状に変形させた隔壁部３を使用して仮囲い１を設置した場合には、支柱部２の受け具５０は、支柱部２と隔壁部３の双方に固定されるタイプを使用することが好ましい。これにより、コーナーに配された、変形の隔壁部３が設置位置から飛び出して外れてしまうことが防止される（図５（ｄ）参照）。また、Ｌ字状やＳ字状に変形させた隔壁部３の形状に合わせた受け具６０を予め用意して、該変形させた隔壁部３の端部に固定しても良い。
【図面の簡単な説明】
【００３８】
【図１】仮囲いを設置した状態を示す斜視図である。
【図２】支柱部を示す説明図であり、（ａ）は支柱部の正面図、（ｂ）は（ａ）のＡ−Ａ線断面図、（ｃ）は支柱部の平面図、（ｄ）は支柱部の下端側から見た斜視図、（ｅ）は支柱部の上端側から見た斜視図である。
【図３】隔壁部を示す説明図であり、（ａ）は、隔壁部を高さ方向から見た斜視図、（ｂ）は隔壁部の高さ方向端部端部を一部省略して示す拡大斜視図である。
【図４】仮囲いの設置手順を示す説明図であり、（ａ）は支持構造物に支柱部を仮固定した状態を示す斜視図、（ｂ）は支柱部の支持空間に隔壁部を差し込む状態を示す斜視図、（ｃ）は隔壁部が支柱部の支持空間に差し込まれた状態を示す平面図、（ｄ）は隔壁部が支柱部に差し込まれた状態を示す斜視図、（ｅ）は支柱部の上下端部に受け具を装着する状態を示す斜視図である。
【図５】仮囲いの上端部に受け具を備えた例を説明する一部拡大斜視図であり、（ａ）は支柱部の受け具が隔壁部に大きく被さるように延設されている示す一部拡大斜視図、（ｂ）は隔壁部に受け具を装着する状態を示す一部拡大斜視図、（ｃ）は隔壁部に受け具を装着した状態を示す一部拡大斜視図、（ｄ）はＬ字状に変形させた隔壁部を使用して仮囲いを設置し、受け具を固定した状態を示す一部拡大斜視図である。
【符号の説明】
【００３９】
１  仮囲い
２  支柱部
３  隔壁部
２１  支柱部の第１の板状部
２２  支柱部の第２の板状部
２３  支柱部の接続部材
【図１】
0003143947.tif 000003
【図２】
0003143947.tif 000004
【図３】
0003143947.tif 000005
【図４】
0003143947.tif 000006
【図５】
0003143947.tif 000007